(57)【要約】【課題】物品収納部と扉との間のスペースを有効活用することができる提供する。【解決手段】内部に物品を収納可能な収納領域４を有し、前面に扉２が設けられたキャビネット１Ａにおいて、収納領域４は、後側に位置する後側収納領域４４と、後側収納領域４４の前側で扉２の後側となる前側収納領域４５と、を有し、後側収納領域４４に設けられた後側収納部５と、前側収納領域４５に設けられた前側収納部６と、を有し、前側収納部６は、物品を収納可能に構成されるとともに、前側収納領域４５において上下方向および左右方向の少なくとも一方に移動可能に構成された移動収納部６１を有する。【選択図】図４
2020032074.tif 000002
【特許請求の範囲】
【請求項１】
内部に物品を収納可能な収納領域を有し、前面に扉が設けられたキャビネットにおいて、
前記収納領域は、後側に位置する後側収納領域と、前記後側収納領域の前側で前記扉の後側となる前側収納領域と、を有し、
前記後側収納領域に設けられた後側収納部と、
前記前側収納領域に設けられた前側収納部と、を有し、
前記前側収納部は、物品を収納可能に構成されるとともに、前記前側収納領域において上下方向および左右方向の少なくとも一方に移動可能に構成された移動収納部を有することを特徴とするキャビネット。
【請求項２】
前記扉は、前後方向に貫通する開口部を有する扉本体と、
前記開口部に対して上下方向に移動して前記開口部を開閉可能な補助扉と、を有し、
前記移動収納部は、正面視で、前記開口部の後側に重なる位置と、前記開口部の後側に重ならない位置と、に移動可能に構成されている請求項１に記載のキャビネット。
【請求項３】
前記後側収納部における上部側に収容された状態と、
前記後側収納部における上部側から前側かつ下側に突出した状態と、に切り替え可能なダウンウォール収納部を有する請求項１又は２に記載のキャビネット。
【請求項４】
前記後側収納部および前記前側収納部は、前記収納領域における上部側に設けられている請求項１乃至３のいずれか一項に記載のキャビネット。
【発明の詳細な説明】
【技術分野】
【０００１】
本発明は、キャビネットに関する。
【背景技術】
【０００２】
高さのあるキャビネットの上部側では、下部側と比べて後部側（奥側）に置いた食器などの物品が取り出しにくいことがある。このため、上部側の前後方向（奥行き方向）の寸法を下部側の前後方向の寸法よりも小さくしたキャビネットが知られている（例えば、特許文献１参照）。このようなキャビネットでは、上部側の前面が下部側の前面よりも後側に入り込んだ位置に配置されている。
【０００３】
また、高さのあるキャビネットとして、前面の高さ全体にわたって引戸などの扉が設けられたキャビネットが知られている（例えば、特許文献２参照）。このようなキャビネットには、上部側に設けられる棚板などの物品収納部の前後方向の寸法を、下部側に設けられる棚板や引き出しなどの物品収納部の前後方向の寸法よりも小さくして、上部側の物品収納部の後部側に収納した物品を取り出し易くしているものがある。
【先行技術文献】
【特許文献】
【０００４】
【特許文献１】特開２０１６−１６０８７号公報
【特許文献２】特開２０１０−２２７３８３号公報
【発明の概要】
【発明が解決しようとする課題】
【０００５】
特許文献２に開示されているような、前面の高さ全体にわたって引戸などの扉が設けられたキャビネットにおいて、棚板や引き出しなどの物品収納部の前後方向の寸法を小さくすると、物品収納部の前端部と扉との間に空きスペースが生じることになる。
【０００６】
そこで、本発明は、物品収納部と扉との間のスペースを有効活用することができる提供することを目的とする。
【課題を解決するための手段】
【０００７】
上記目的を達成するため、本発明に係るキャビネットは、内部に物品を収納可能な収納領域を有し、前面に扉が設けられたキャビネットにおいて、前記収納領域は、後側に位置する後側収納領域と、前記後側収納領域の前側で前記扉の後側となる前側収納領域と、を有し、前記後側収納領域に設けられた後側収納部と、前記前側収納領域に設けられた前側収納部と、を有し、前記前側収納部は、物品を収納可能に構成されるとともに、前記前側収納領域において上下方向および左右方向の少なくとも一方に移動可能に構成された移動収納部を有することを特徴とする。
【０００８】
本発明では、後側収納領域と扉との間の前側収納領域に前側収納部が設けられ、前側収納部は、前側収納領域を上下方向および左右方向の少なくとも一方に移動可能な移動収納部を有している。使用者は、扉を開けた状態で、後側収納部における移動収納部が正面視で前側に重なっていない部分を前方から使用することができる。
このように、後側収納部と扉との間に移動収納部を設けることができるとともに、移動収納部を設けても後側収納部を使用することができるため、後側収納部と扉との間のスペースを有効活用することができる。
【０００９】
また、本発明に係るキャビネットでは、前記扉は、前後方向に貫通する開口部を有する扉本体と、前記開口部に対して上下方向に移動して前記開口部を開閉可能な補助扉と、を有し、前記移動収納部は、正面視で、前記開口部の後側に重なる位置と、前記開口部の後側に重ならない位置と、に移動可能に構成されていてもよい。
このような構成とすることにより、扉本体を閉鎖した状態としても、補助扉を開口することにより、使用者は開口部からキャビネットの内部を使用することができる。そして、本発明では、移動収納部は、正面視で、開口部と前後方向に重なる位置、および開口部の後側に重ならない位置に移動可能に構成されている。これにより、移動収納部を開口部の後側に重なる位置に移動させることで、開口部の前方から移動収納部を使用することができ、移動収納部を開口部の後側に重ならない位置に移動させることにより、開口部の前方から後側収納部を使用することができる。
【００１０】
また、本発明に係るキャビネットでは、前記後側収納部における上部側に収容された状態と、前記後側収納部における上部側から前側かつ下側に突出した状態と、に切り替え可能なダウンウォール収納部を有していてもよい。
このような構成とすることにより、ダウンウォール収納部を前側かつ下側に突出した状態とすることにより、手が届きづらい後側収納部の上部側の収容も容易に利用することができる。
【００１１】
また、本発明に係るキャビネットでは、前記後側収納部および前記前側収納部は、前記収納領域における上部側に設けられていてもよい。
このような構成とすることにより、キャビネットにおける下部側と比べて使用しにくい上部側において、後側収納部および前側収納部を設けることができ、キャビネットの使い勝手を良くすることができる。
【発明の効果】
【００１２】
本発明によれば、後側収納部と扉との間のスペースを有効活用することができる提供することを目的とする。
【図面の簡単な説明】
【００１３】
【図１】本発明の第１実施形態によるキャビネットの扉本体が閉まり１つの補助扉が開いた状態の一例を示す斜視図である。
【図２】本発明の第１実施形態によるキャビネットの扉本体が開いた状態の一例を示す斜視図である。
【図３】本発明の第１実施形態によるキャビネットの扉を省略した正面図である。
【図４】図３のＡ−Ａ線断面図で扉を表記した図である。
【図５】本発明の第２実施形態によるキャビネットの扉を省略した正面図である。
【図６】図５のＢ−Ｂ線断面図で扉を表記した図である。
【図７】図５のＣ−Ｃ線断面図で扉を表記した図である。
【発明を実施するための形態】
【００１４】
（第１実施形態）
以下、本発明の第１実施形態によるキャビネットについて、図１−図４に基づいて説明する。
図１に示すように、第１実施形態によるキャビネット１Ａは、キッチンやダイニングに設けられて食器などの物品を収容可能に構成されている。
図１および図２に示すように、キャビネット１Ａには、正面全体に扉２が設けられている。使用者は、正面から扉２を開けてキャビネット１Ａを使用するように構成されている。
キャビネット１Ａにおける扉２が設けられている側を前側とし、その反対側を後側とし、前側と後側とを結ぶ水平方向を前後方向とする。また、前後方向に直交する水平方向を左右方向とする。
【００１５】
キャビネット１Ａは、床面に設置されるキャビネット台輪３１と、上端面に沿って設けられるキャビネット上板３２と、後端面に沿って設けられるキャビネット背板３３と、両側面それぞれ沿って設けられる一対のキャビネット側板３４，３４と、に囲まれ、物品を収納可能な収納領域４を有している。扉２は、収納領域４の前側に設けられている。
【００１６】
図３に示すように、本実施形態では、キャビネット１Ａの内部に、収納領域４を左右に仕切るキャビネット仕切り板３５が設けられている。キャビネット仕切り板３５は、板面が左右方向を向き、キャビネット１Ａの左右方向の中央部に位置している。キャビネット仕切り板３５は、下端面がキャビネット台輪３１の上面と当接し、上端面がキャビネット上板３２の下面と当接し、後端面がキャビネット背板３３の前面と当接している。キャビネット仕切り板３５は、キャビネット台輪３１およびキャビネット上板３２に固定されている。なお、キャビネット仕切り板３５は、キャビネット背板３３に固定されていてもよい。
収納領域４におけるキャビネット仕切り板３５の左右方向の一方側と他方側とは、ほぼ同じ形態に構成されている。
【００１７】
図３および図４に示すように、収納領域４は、キャビネット１Ａの高さ方向の中間部よりも下部側となる下側収納領域４１と、下側収納領域４１の上方の上側収納領域４２と、を有している。
下側収納領域４１には、上下方向に配列された複数の引き出し４３が設けられている。引き出し４３は、前側に引き出して内部に物品を出し入れし、後側に移動させて下側収納領域４１に収容される。図４に示すように、下側収納領域４１に収容された状態の引き出し４３の前板４３１は、扉２よりもやや後側に配置されている。
【００１８】
上側収納領域４２は、上側収納領域４２における後部側に位置する後側収納領域４４と、後側収納領域４４の前側で扉２の後側となる前側収納領域４５と、を有している。
後側収納領域４４には、後側収納部５が設けられている。後側収納部５には、上下方向に間隔をあけて複数の後側収納棚板５１が設けられている。複数の後側収納棚板５１は、キャビネット側板３４とキャビネット仕切り板３５との間に配置され、キャビネット側板３４およびキャビネット仕切り板３５にダボ（不図示）などで係止され支持されている。
後側収納部５は、後側収納棚板５１の上部に物品が収納される。
【００１９】
複数の後側収納棚板５１それぞれの後縁部は、キャビネット背板３３の前面と当接または僅かな隙間をあけて近接している。複数の後側収納棚板５１それぞれの前端部は、キャビネット１Ａ（収納領域４）の前後方向の中間部に位置している。本実施形態では、複数の後側収納棚板５１それぞれの前端部は、平面視において前後方向の同じ位置に配置されている。
【００２０】
前側収納領域４５には、前側収納部６が設けられている。前側収納部６は、前側収納領域４５において上下方向に移動可能な移動収納部６１と、移動収納部６１を上下方向に移動可能に支持する昇降機構６２と、を有している。
【００２１】
移動収納部６１は、前側に開口する箱状に形成されている。移動収納部６１の高さ寸法は、前側収納領域４５の高さ寸法よりも小さく、本実施形態では、前側収納領域４５の高さ寸法の半分よりも小さく設定されている。移動収納部６１の左右方向の寸法は、キャビネット側板３４とキャビネット仕切り板３５との間隔よりもやや小さく設定されている。
移動収納部６１は、下面に沿って配置される移動収納下板６３と、上面に沿って配置される移動収納上板６４と、後面に沿って配置される移動収納背板６５と、左右方向の両側面それぞれに沿って配置される一対の移動収納側板６６，６６と、を有している。
【００２２】
移動収納部６１の内部には、移動収納部６１の内部を左右に仕切る移動収納仕切り板６８と、移動収納仕切り板６８と一対の移動収納側板６６，６６との間それぞれに上下方向に間隔をあけて設けられた複数の移動収納棚板６９と、を有している。
移動収納部６１は、移動収納棚板６９の上部に物品を収納される。
本実施形態では、移動収納部６１の下端部分における前端部に、後側に凹んだ手掛け凹部６３１（図３参照）が形成されている。手掛け凹部６３１は、使用者が移動収納部６１を昇降させる際に手を掛けることができるように構成されている。
【００２３】
昇降機構６２は、キャビネット側板３４およびキャビネット仕切り板３５に設けられ移動収納部６１を上下方向にガイドするガイド部６２１と、移動収納部６１を略一定の力で上方に付勢する付勢部６２２と、を有している。付勢部６２２は、例えば定荷重ばねなどで、キャビネット１Ａの上部側に設けられて、移動収納部６１を略一定の力で引き上げるように構成されている。
本実施形態では、昇降機構６２は、移動収納部６１を昇降させて所望の高さに配置可能に構成されている。
【００２４】
移動収納部６１は、図３の右側部分のように、前側収納領域４５における最下端まで移動すると、後側収納部５の下部側の前側に配置され、後側収納部５の下部側を前方から塞いだ状態となっている。このとき、後側収納部５の上部側は、前側に後側収納部５が配置されていないため、前側に開口している。このため、移動収納部６１が、最下端まで移動すると、使用者は、後側収納部５の上部側を前方から使用することができるが、後側収納部５の下部側を使用できない状態となる。
これに対し、移動収納部６１は、図３の左側部分のように、前側収納領域４５における最上端まで移動すると、後側収納部５の上部側の前側に配置され、後側収納部５の上部側を前方から塞いだ状態となっている。このとき、後側収納部５は、前側に後側収納部５が配置されていないため、前側に開口している。このため、移動収納部６１が、最上端まで移動すると、使用者は、後側収納部５の下部側を前方から使用することができるが、後側収納部５の上部側を使用できない状態となる。
【００２５】
図１および図２に示すように、扉２は、２枚の引戸で、キャビネット１Ａのキャビネット台輪３１の上側に設けられた下側レールと、キャビネット１Ａの上板の下側に設けられた上側レールと、左右方向にスライド可能に支持されている。扉２は、２枚の引戸が互いに重なるように配置されることで、キャビネット１Ａの収納領域４を前方に開口するように構成されている。扉２の２枚の引戸が左右方向の一方側に重なって配置されることで、収納領域４の左右方向の他方側が前方に開口され、２枚の引戸が左右方向の他方側に重なって配置されることで、収納領域４の左右方向の一方側が前方に開口される。
【００２６】
本実施形態では、扉２は、高さ方向の中間部に開口部２１が形成された扉本体２２と、扉本体２２に上下方向に移動可能に支持され上下方向に移動して開口部２１を開閉する補助扉２３と、を有している。開口部２１は、下側収納領域４１の上部側と上側収納領域４２の下部側と正面視で重なる位置に形成されている。
補助扉２３は、上側に移動して開口部２１の後側に重なると開口部２１を閉鎖し、下側に移動して開口部２１の下側に位置すると開口部２１を開放するように構成されている。
補助扉２３は、補助扉支持機構２４に上下方向に移動可能に支持されている。補助扉支持機構２４は、補助扉２３を吊り支持している。
【００２７】
補助扉２３が開口部２１を開口すると、使用者は、キャビネット１Ａの高さ方向の中間部を開口部２１から使用することができる。このとき、移動収納部６１が上側に移動していると、使用者は、開口部２１から下側収納領域４１の上部側、および上側収納領域４２の下部側を使用することができる。また、移動収納部６１が下側に移動していると、使用者は、開口部２１から移動収納部６１を使用することができる。
【００２８】
次に、上述した第１実施形態によるキャビネット１Ａの作用・効果について図面を用いて説明する。
上述した第１実施形態によるキャビネット１Ａは、後側収納領域４４と扉２との間の前側収納領域４５に前側収納部６が設けられ、前側収納部６は、前側収納領域４５を上下方向に移動可能な移動収納部６１を有している。使用者は、扉２を開けた状態で、後側収納部５における移動収納部６１が正面視で前側に重なっていない部分を前方から使用することができる。
このように、後側収納部５と扉２との間に移動収納部６１を設けることができるとともに、移動収納部６１を設けても後側収納部５を使用することができるため、後側収納部５と扉２との間のスペースを有効活用することができる。
【００２９】
また、本実施形態によるキャビネット１Ａでは、扉２は、前後方向に貫通する開口部２１を有する扉本体２２と、開口部２１に対して上下方向に移動して開口部２１を開閉可能な補助扉２３と、を有し、移動収納部６１は、正面視で、開口部２１の後側に重なる位置と、開口部２１の後側に重ならない位置と、に移動可能に構成されている。
これにより、扉本体２２を閉鎖した状態としても、補助扉２３を開口することにより、使用者は開口部２１からキャビネット１Ａの内部を使用することができる。そして、本実施形態では、移動収納部６１は、正面視で、開口部２１と前後方向に重なる位置、および開口部２１の後側に重ならない位置に移動可能に構成されている。これにより、移動収納部６１を開口部２１の後側に重なる位置に移動させることで、開口部２１の前方から移動収納部６１を使用することができ、移動収納部６１を開口部２１の後側に重ならない位置に移動させることにより、開口部２１の前方から後側収納部５を使用することができる。
【００３０】
また、本実施形態によるキャビネットＡ１では、後側収納部５および前側収納部６は、収納領域４における上部側（上側収納領域４２）に設けられている。
このような構成とすることにより、キャビネット１Ａにおける下部側（下側収納領域４１）と比べて使用しにくい上部側（上側収納領域４２）において、後側収納部５および前側収納部６を設けることができ、キャビネット１Ａの使い勝手を良くすることができる。
【００３１】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図５−図７に示すように、第２実施形態によるキャビネット１Ｂは、上側収納領域４２Ｂの後側収納部５Ｂの上部側にダウンウォール収納部７が設けられている。
ダウンウォール収納部７は、ダウンウォール本体７１と、ダウンウォール本体７１を、図５の左側部分および図６に示すような後側収納部５Ｂに収容した収容状態と、図５の右側部分および図７に示すような後側収納部５Ｂから前側かつ下側に移動させた使用状態とに移動させる移動機構７２（図６および図７参照）と、を有している。移動機構７２は、例えば、公知のダウンウォールの移動機構などが採用されている。
【００３２】
ダウンウォール本体７１は、後側収納部５Ｂに収容された状態となると前端部が前側収納部６に突出しないように構成されている。このため、ダウンウォール本体７１が後側収納部５Ｂに収容された状態となると、前側収納部６の移動収納部６１を上方に移動させてダウンウォール本体７１の前側に配置することができる。
ダウンウォール本体７１を使用状態とするには、まず、前側収納部６の移動収納部６１を下側に移動させて、収納状態のダウンウォール本体７１より下側に配置し、ダウンウォール本体７１の前側を開口する。それからダウンウォール本体７１を下降させて使用状態とする。
【００３３】
上述した第２実施形態によるキャビネット１Ｂでは、後側収納部５Ｂにおける上部側に収容された収容状態と、後側収納部５Ｂにおける上部側から前側かつ下側に突出した使用状態と、に切り替え可能なダウンウォール収納部７を有している。
これにより、ダウンウォール収納部７を前側かつ下側に突出させて使用状態とすることにより、手が届きづらい後側収納部５の上部側の収容も容易に利用することができる。
【００３４】
以上、本発明によるキャビネットの実施形態について説明したが、本発明は上記の実施形態に限定されるものではなく、その趣旨を逸脱しない範囲で適宜変更可能である。
例えば、上記の実施形態では、扉２は、２枚の引戸であるが、３枚以上の引戸や、開き戸、折れ戸などであってもよい。
また、上記の実施形態では、扉２には、開口部２１が設けられ、開口部２１を開閉する補助扉２３が設けられているが、開口部２１や補助扉２３が設けられていなくてもよい。
【００３５】
また、上記の実施形態では、後側収納部５，５Ｂおよび前側収納部６は、収納領域４における上部側（上側収納領域４２，４２Ｂ）に設けられているが、上部側に代わって下部側（下側収納領域４１）に設けられていたり、収納領域４の高さ方向の全体に設けられていたりしてもよい。
【００３６】
また、上記の実施形態では、移動収納部６１を昇降させる昇降機構６２は、キャビネット側板３４およびキャビネット仕切り板３５に設けられ移動収納部６１を上下方向にガイドするガイド部６２１と、移動収納部６１を略一定の力で上方に付勢する付勢部６２２と、を有する構成であるが、上記以外の構成であってもよい。例えば、移動収納部６１は、電動で昇降するように構成されていてもよい。また、移動収納部６１の移動を所定の位置で拘束するロック機構などが設けられていてもよい。
【００３７】
また、上記の実施形態では、移動収納部６１は、上下方向に移動可能に構成されているが、移動収納部６１を左右方向に移動可能に支持する例えばレールなどの機構を有し、左右方向に移動可能に構成されていてもよい。また、移動収納部６１は、上下方向および左右方向の両法に移動可能に構成されていてもよい。
また、上記の実施形態では、移動収納部６１の左右方向の寸法は、キャビネット側板３４とキャビネット仕切り板３５との左右方向の間隔とほぼ同じ寸法に設定されているが、キャビネット側板３４とキャビネット仕切り板３５との左右方向の間隔の半分の寸法などキャビネット側板３４とキャビネット仕切り板３５との左右方向の間隔よりも小さく設定されていてもよい。
【００３８】
また、移動収納部６１の左右方向の寸法は、一対のキャビネット側板３４，３４の間隔とほぼ同じ寸法に形成されていてもよい。このような形態は、例えば、キャビネット仕切り板３５が設けられていない場合や、キャビネット仕切り板３５の奥行き寸法（前後方向の寸法）が短く設定され、キャビネット仕切り板３５の前端部が前側収納部６よりも後側に位置する場合などに採用することができる。そして、移動収納部６１は、例えば、一対のキャビネット側板３４，３４それぞれに設けられたガイド部６２１に上下方向にガイドされるように構成されていてもよい。
【００３９】
また、上記の実施形態では、キャビネット１Ａ，１Ｂには、１つのキャビネット仕切り板３５が設けられているが、左右方向に間隔をあけて複数のキャビネット仕切り板が設けられていてもよい。そして、キャビネット側板３４とキャビネット仕切り板の間、および左右方向に隣り合うキャビネット仕切り板の間の少なくとも一か所に後側収納部５，５Ｂおよび前側収納部６が設けられ移動収納部６１が移動するように構成されていてもよい。
【００４０】
また、下側収納領域４１、上側収納領域４２，４２Ｂの後側収納部５，５Ｂおよび移動収納部６１の内部は適宜設定されてよい。
また、上記の実施形態では、移動収納部６１の下端部分における前端部に、後側に凹んだ手掛け凹部６３１が形成されている。これに対し、移動収納部６１を昇降させる際に手を掛ける手掛けは、設けられていなくてもよいし、上記以外の形態であってもよい。
【符号の説明】
【００４１】
１Ａ，１Ｂ  キャビネット
２  扉
４  収納領域
５，５Ｂ  後側収納部
６  前側収納部
７  ダウンウォール収納部
２１  開口部
２２  扉本体
２３  補助扉
４１  下側収納領域
４２，４２Ｂ  上側収納領域
４４  後側収納領域
４５  前側収納領域
６１  移動収納部
【図１】
2020032074.tif 000003
【図２】
2020032074.tif 000004
【図３】
2020032074.tif 000005
【図４】
2020032074.tif 000006
【図５】
2020032074.tif 000007
【図６】
2020032074.tif 000008
【図７】
2020032074.tif 000009